(57)【特許請求の範囲】
【請求項１】
着用者の胸部に配される第１サポート部と、
前記第１サポート部の両側部にそれぞれ接続され前記着用者の体の側部から背中に至る第２サポート部と、
前記第１サポート部の上部に接続され前記着用者の肩上から背中に回り前記第２サポート部に接続される第３サポート部と、を備え、
前記第２サポート部は、前記第１サポート部の側部に接続される第１パーツ片と、横方向及び縦方向の両方向において前記第１パーツ片よりも伸縮性が高く、前記第１パーツ片の前記第１サポート部とは反対側に連結されるとともに前記第３サポート部に連結される第２パーツ片と、を備え、
前記第１パーツ片と前記第２パーツ片は、着用状態で背中側に上がる後ろ上がりの連結ラインにおいて接合され、
前記第２パーツ片の外形は、前記連結ラインに沿うとともにその上端に前記第３サポート部が連結される第２傾斜辺を有することを特徴とするバスト用衣類。
【請求項２】
前記第１サポート部は、一対のカップ部を備え、
前記第２サポート部は前記一対のカップ部の外側端に連続する一対のベルトを備え、
前記第３サポート部は、その一端が一対の前記カップ部の上端部に連結され、その他端が一対の前記ベルトの上縁の所定位置に連結された、一対のショルダーストラップを備え、
前記第１パーツ片と前記第２パーツ片は、前記ベルトの下縁におけるバストセンター寄りの所定位置から、バックセンターに向けて上方に変位するように傾斜する連結ラインにおいて接合され、
前記第２パーツ片は、前記連結ラインの終点位置よりも上方に突出し、前記終点位置よりも上位の所定位置において前記第３サポート部に連結される、請求項１記載のバスト用衣類。
【請求項３】
前記連結ラインは、着用状態において前記着用者の側方から見て後ろ上がりに傾斜し、背面側から見ると前記着用者の側部からバックセンターに向かって上方に斜めに延び、
一対の前記ショルダーストラップは、着用状態の背面側から見て、前記ベルトと連結される連結部から、センター及び上方に向けて斜めに延びることを特徴とする請求項２に記載のバスト用衣類。
【請求項４】
前記第１パーツ片の外形は、第１サポート部の側縁に接続される第１内側辺と、前記第２サポート部の上縁の前記第１サポート部側の一部を構成する第１上辺と、前記第２サポート部の下縁の前記第１サポート部側の一部を構成する第１下辺と、前記連結ラインに沿う第１傾斜辺と、で囲まれる形状であって、
前記第２パーツ片の外形は、前記第１下辺に連続して前記第２サポート部の下縁を構成する第２下辺と、前記第２傾斜辺と、前記第２傾斜辺の連結部から着用者のバックセンターに延びる第２側辺と、で囲まれる三角形状に構成され、
前記第１パーツ片と前記第２パーツ片とは前記連結ラインにおいて接合され、
前記第２傾斜辺の中途位置に、前記第１上辺が交差し、前記第２パーツ片は前記第１上辺の延長線よりも上に前記連結部を頂点とする三角形状の突出部を有する、ことを特徴とする請求項１乃至３のいずれかに記載のバスト用衣類。
【請求項５】
前記連結ラインは、前記第２サポート部の下縁に対して１５度以上６０度以下の角度を有し、
前記第２パーツ片の前記第２傾斜辺は少なくとも前記突出部においてテープ加工及び縫製加工がされていないことを特徴とする請求項４に記載のバスト用衣類。
【発明の詳細な説明】
【技術分野】
【０００１】
本発明の実施形態は、バスト用衣類に関する。
【背景技術】
【０００２】
女性のバストに装着するブラジャーなどのバスト用衣類において、胸部を覆う一対のカップ部と、各カップ部の側縁に接続され背中に至る一対のベルトと、各カップ部の上部から肩を通って背中に至り各ベルトに接続されるショルダーストラップと、を備える構成が知られている。このようなバスト用衣類では、着用者の肩にかかるショルダーストラップと、着用者の脇部から背部に至るベルトによって、胸部に配されるカップ部を支えている。
【０００３】
バスト用衣類において、着用時における着用者の腕や上体の動きにより、カップ部に接続されるショルダーストラップの変形や位置変化が生じると、ベルトが不安定な状態となることでカップ部の位置がずれ、サポート機能が損なわれる。
【０００４】
そこで、カップ部の位置ずれを抑制するため、例えば複数の生地を重ねてベルトを構成したバスト用衣類が提供されている（例えば、特許文献１参照）。また、運動追従性を高めるために、ベルトの全長を左右方向に伸びやすい第１部材で構成し、ショルダー連結部分付近を上下方向に伸びやすい第２部材で構成する技術も提供されている（例えば、特許文献２参照）。
【先行技術文献】
【特許文献】
【０００５】
【特許文献１】特許第４４１０５３９号公報
【特許文献２】特許第５６１８４２３号公報
【発明の概要】
【発明が解決しようとする課題】
【０００６】
しかしながら、複数の生地が重なることで背部を圧迫し、また食い込みが生じ着用感を損ねる。また、下部全長を左右に伸びやすく、上部を上下に伸びやすく構成した場合、運動追従性が期待されるが、上下に伸びやすい部分の面積が小さい場合には追従性が発揮できない。
【０００７】
このため、着用感が良好で十分な運動追従性を兼ね備えるバスト用衣類を提供することが望まれている。
【課題を解決するための手段】
【０００８】
本発明の一形態にかかるバスト用衣類は、着用者の胸部に配される第１サポート部と、前記第１サポート部の両側部にそれぞれ接続され前記着用者の体の側部から背中に至る第２サポート部と、前記第１サポート部の上部に接続され前記着用者の肩上から背中に回り前記第２サポート部に接続される第３サポート部と、を備え、前記第２サポート部は、前記第１サポート部の側部に接続される第１パーツ片と、横方向及び縦方向の両方向において前記第１パーツ片よりも伸縮性が高く、前記第１パーツ片の前記第１サポート部とは反対側に連結されるとともに前記第３サポート部に連結される第２パーツ片と、を備え、前記第１パーツ片と前記第２パーツ片は、着用状態で背中側に上がる後ろ上がりの連結ラインにおいて接合され、前記第２パーツ片の外形は、前記連結ラインに沿うとともにその上端に前記第３サポート部が連結される第２傾斜辺を有することを特徴とする。
【０００９】
本発明の他の一形態にかかるバスト用衣類は、前記第１サポート部は、一対のカップ部を備え、前記第２サポート部は前記一対のカップ部の外側端に連続する一対のベルトを備え、前記第３サポート部は、その一端が一対の前記カップ部の上端部に連結され、その他端が一対の前記ベルトの上縁の所定位置に連結された、一対のショルダーストラップを備え、前記第１パーツ片と前記第２パーツ片は、前記ベルトの下縁におけるバストセンター寄りの所定位置から、バックセンターに向けて上方に変位するように傾斜する連結ラインにおいて接合され、前記第２パーツ片は、前記連結ラインの終点位置よりも上方に突出し、前記終点位置よりも上位の所定位置において前記第３サポート部に連結される。
【発明の効果】
【００１０】
本発明によれば、着用感が良好で、高い運動追従性を兼ね備えるバスト用衣類を提供できる。
【図面の簡単な説明】
【００１１】
【図１】第１実施形態にかかるブラジャーの構成を示す正面図。
【図２】同ブラジャーの構成を示す背面図。
【図３】同ブラジャーの着用状態の後ろから見た図。
【図４】同ブラジャーの着用状態の斜め後方から見た図。
【図５】同ブラジャーの着用時における運動前後のベルトのずれ量を示す説明図。
【発明を実施するための形態】
【００１２】
以下、本発明の第１実施形態にかかるバスト用衣類の一例としてのブラジャー１について図１乃至図５を参照して説明する。図１は本実施形態に係るブラジャーを表面側から見た説明図であり、図２は背面側から見た説明図である。図３はブラジャーの着用状態において後ろから見た図であり、図４は着用状態の斜め後方から見た図である。なお、各図では説明のため、適宜構成を拡大、縮小、省略して模式的に示している。
【００１３】
本実施形態において、上下前後左右等の方向は、ブラジャー１を着用した立位状態の着用者１００を基準としてそれぞれ示している。また本実施形態において第１方向は胸囲方向に沿う横方向であり、第２方向は第１方向に直交する縦方向である。例えば図１及び図２においては第１方向に沿うベルト２０が左右に延びる配置となっているが、図３及び図４に示す着用状態においては胸囲方向に沿って湾曲して配される。
【００１４】
図１乃至図３に示すバスト用衣類であるブラジャー１は、着用者１００の胸部１０１に配される一対のカップ部１１を有する第１サポート部１０Ａと、第１サポート部１０Ａの両端に接続され着用者１００の脇下の側部１０２から背中１０３に回ってバックセンター１０３ａに至る第２サポート部２０Ａと、第１サポート部１０Ａの一対のカップ部１１の上部に接続され着用者１００の肩部１０４の上から背中１０３側に回って第２サポート部２０Ａに連結される第３サポート部３０Ａと、を備える。
【００１５】
第１サポート部１０Ａは、センター部１０ａで連結された左右一対のカップ部１１と、各カップ部１１の下側に配された左右一対のベース１２と、を備える。
【００１６】
各カップ部１１は、胸部１０１の一対の乳房にそれぞれ対応し、着用時に各乳房を覆うように配置される。一対のカップ部１１は左右に並列して配置されている。一対のカップ部１１はバストセンターに配されるセンター部１０ａで連結されている。
【００１７】
一対のカップ部１１は、それぞれ、下方に凸となるカーブを呈する下カップ縁１１ａと、センター部１０ａから湾曲して斜め上に延び上端に至る内カップ縁１１ｂと、下カップ縁１１ａの外側端から湾曲してセンター側及び上に斜めに延びて上端部に至る外カップ縁１１ｃと、を有している。
【００１８】
カップ部１１は、複数のパーツが縫着されて構成される。例えばカップ部１１の縁部分や下部領域に、金属ワイヤーまたは樹脂プレートからなるサポート材が配置されている。例えば本実施形態においてはサポート材として、カップの下カップ縁１１ａに沿って金属ワイヤーが配されている。
【００１９】
一対のベース１２は、カップ部１１の下カップ縁１１ａに縫合された帯片であり、図１に示すように、カップ部１１の下側において、所定の第１方向に延びている。一対のベース１２の端部同士がセンター部１０ａで縫合により接続されている。一対のカップ部１１の下カップ縁１１ａ及びベース１２の外側縁で構成される第１サポート部１０Ａの両端縁に、一対のベルト２０がそれぞれ接続されている。
【００２０】
第２サポート部２０Ａは、着用者の背中１０３部位に配される、いわゆる背部であり、第１サポート部１０Ａの外側縁にそれぞれ接続されバックセンター１０３ａで互いに連結されて繋がる一対のベルト２０を備える。
【００２１】
各ベルト２０は、伸縮性の異なる複数のパーツが接合されて構成されている。ベルト２０は、第１パーツ片２１と、第１パーツ片２１よりも伸縮性の高い第２パーツ片２２とが、後ろ上がりとなる連結ラインＳ１で互いに接合された切替え部材で構成されている。一対のベルト２０の端部は互いに連結されるバック連結部２０ｂを構成し、それぞれバック連結具２３ａ，２３ｂを備える。
【００２２】
第１パーツ片２１の外形は、第１サポート部１０Ａに接続される第１内側辺２１ａと、ベルト２０の上縁の一部を構成する第１上辺２１ｂと、ベルト２０の下縁の一部を構成する第１下辺２１ｃと、カップ部１１から遠い方が上に位置するように傾斜する第１傾斜辺２１ｄと、で囲まれる形状に構成されている。
【００２３】
第１パーツ片２１は第２パーツ片２２よりも伸縮性が低く構成されている。また、第１パーツ片２１は、第１上辺２１ｂにおいて縫合処理がされていない。第１パーツ片２１は例えばパワーネット等の生地が、第１上辺２１ｂで折り返されて２重構造に構成され、所定形状にカットされている。したがって、第１上辺２１ｂにおいては縫合不要に構成されるため、テープや縫合による加工がなされていない。
【００２４】
第２パーツ片２２は、第１パーツ片２１よりも伸縮性が高く構成されている。着用者１００の胸囲方向に沿う第１方向である横方向と、着用者１００の上下方向に沿う第２方向である縦方向と、の両方において、第２パーツ片２２は第１パーツ片２１よりも伸縮性が高く構成されている。例えば第２パーツ片２２は、ヘム素材により構成されている。
【００２５】
次に、図１に示すように伸張試験によって測定した第１パーツ片２１の生地の第１方向の伸張率Ｅ１は９３％であり、第２方向の伸張率Ｅ２は１２５％であった。また、第２パーツ片２２の第１方向の伸張率Ｅ３＝１３７％、第２方向の伸張率Ｅ４＝１４７％であった。各伸張試験において、例えば株式会社島津製作所製オートグラフＡＧ−５００ＮＧを用いた。伸張方向に沿って長さ１５ｃｍ、幅２．５ｃｍの試験片を切り出し、つかみ間隔を１０ｃｍとして試験機にセットし、３００ｍｍ／ｍｉｎの速度で荷重２２，１Ｎ（２．２５ｋｇｆ）付加時の伸長率を測定した。伸長率（％）は、元の長さをＬ０、荷重付加時の長さをＬ１とした場合に、（（Ｌ１−Ｌ０）／Ｌ０）×１００で算出される。Ｅ１は例えば０％以上１１０％未満が望ましく、Ｅ２は例えば０％以上１３５％未満が好ましい。Ｅ３は１１０％以上１４５％未満が望ましく、Ｅ４は、１３５％以上１５５％未満が望ましい。
【００２６】
第２パーツ片２２の外形は、第１下辺２１ｃに連続してベルト２０の下縁２０ａを構成する第２下辺２２ａと、連結ラインＳ１に沿いショルダー連結部２０ｃに至る第２傾斜辺２２ｂと、第２傾斜辺２２ｂの上端部であるショルダー連結部２０ｃからバック連結部２０ｂに至る第２側辺２２ｃと、で囲まれる三角形状に構成されている。
【００２７】
第２パーツ片２２の第２下辺２２ａは、第１下辺２１ｃよりも長く、望ましくは、ベルト２０の下縁２０ａの長さの２／３倍以上の長さに構成されている。第２パーツ片２２の第２下辺２２ａの長さは例えば８ｃｍ以上１９ｃｍ以下が望ましく、ベルト２０及び第２パーツ片２２の高さ、すなわちショルダー連結具２０ｃから下縁２０ａに垂直に下した長さは、例えば８ｃｍ以上１３ｃｍ以下が望ましい。第２下辺２２ａは、ベルト２０の下縁２０ａであってカップ部１１から所定距離離れた位置から、バックセンター１０３ａに配されるバック連結部２０ｂの下端部に亘って、第１方向に沿って配される。一対のベルト２０の、第２パーツ片２２第２下辺２２ａの先端であるバック連結部２０ｂには、装着時に背中１０３において互いに連結されるバック連結具２３ａ，２３ｂがそれぞれ設けられている。
【００２８】
第２パーツ片２２は、第２傾斜辺２２ｂの上側の一部を除く端縁において、第１パーツ片２１の第１傾斜辺に接合されている。第１上辺２１ｂは第２傾斜辺２２ｂの中途位置に交差している。すなわち、第２パーツ片２２はその上端部において、連結ラインＳ１の終点位置、すなわち第１上辺２１ｂと交差する交差部２０ｄよりも上に突出する。すなわち、第２パーツ片は、第１上辺２１ｂの延長線よりも上位に、ショルダー連結部２０ｃを頂点とする三角形状の突出部２０ｅを有する。第２傾斜辺２２ｂの上部分、すなわち突出部２０ｅの端縁は、ヘム仕様であって、縫製やテープによる端処理はされていない。
【００２９】
第２パーツ片２２は、連結ラインＳ１の先方の上端部であるショルダー連結部２０ｃにおいて、ショルダー連結具２５を介して、第３サポート部３０Ａに連結される。
【００３０】
連結ラインＳ１は、第１方向に沿うベルト２０の下縁２０ａに対して、１５度以上６０度以下の範囲で傾斜している。連結ラインＳ１はセンター部１０ａ側からバックセンター１０３ａ側に向けて上方に変位するように傾斜する。連結ラインＳ１において、第１パーツ片２１及び第２パーツ片２２がその端縁同士が一定幅重ねられ、ジグザグ状の縫合ラインで縫合されている。したがって、連結ラインＳ１は、第１パーツ片２１と第２パーツ片２２の境界線を構成している。
【００３１】
図３及び図４に示すように、着用状態において、連結ラインＳ１すなわち第１パーツ片２１と第２パーツ片２２の境界線は、着用者１００の側方から見ると後ろ上がりに傾斜し、背面側からみると左右の側部１０２からバック連結部２０ｂに向かって上方に斜めに延びている。
【００３２】
第３サポート部３０Ａは、一対のショルダーストラップ３１を備える。ショルダーストラップ３１は、可撓性の帯状に構成されている。ショルダーストラップは、その一端が一対のカップ部１１の上端に連結されて上方に延び、肩部１０４上を通って背中１０３に回り、その他端が背中１０３においてショルダー連結具２５を介してベルト２０に連結されている。ショルダーストラップ３１にはストラップ長さを調節する調整機構３２が設けられている。
【００３３】
図１及び図２に示すようにベルト２０を横方向に平面上に配置した場合、一対のショルダーストラップ３１は、ショルダー連結部２０ｃから、連結ラインＳ１の延長線上に沿って、外方及び上方に、斜めに延びている。
【００３４】
一方、図３及び図４に示すようにベルト２０が湾曲する着用状態において、背面視におけるショルダーストラップ３１は、連結ラインＳ１の延長線上にあるショルダー連結部２０ｃから、連結ラインＳ１に沿って、バックセンター１０３ａ側及び上方に向けて斜めに延びている。
【００３５】
ショルダー連結具２５は三角形状であって、ショルダーストラップ３１が連結ラインＳ１の延長線に沿って延びるように連結される。すなわち、ショルダー連結具２５は、ショルダーストラップ３１とベルト２０の連結テープがそれぞれ挿入される一対のスリット２５ａ，２５ｂが、背面視において外側に開くＶ字状に配されている。したがって、ショルダーストラップ３１はベルト２０に対して中央寄りに傾く角度で連結される。
【００３６】
以上のように構成されたブラジャー１において、第１サポート部１０Ａと第２サポート部２０Ａが連続する下縁部位には、横方向に連続する一本のテープ４１が接合され、端処理されている。また、ショルダー連結具２５からバック連結具２３ａ，２３ｂに至る第２側辺２２ｃは、テープ４４による端処理が成されている。また、カップ部１１の下カップ縁１１ａ及び外カップ縁１１ｃにもそれぞれテープ４２、４３が接合され、端処理されている。  
一方で、ベルト２０の上縁を構成する第１パーツ片２１の第１上辺２１ｂは折り返し仕様であって縫合やテープによる端処理がされていない。また、第２パーツ片２２の第２傾斜辺２２ｂの突出部２０ｅの端縁はヘム仕様であって、縫合やテープによる端処理が成されていない。
【００３７】
本実施形態にかかるブラジャー１は以下のような効果を奏する。ブラジャー１は、ベルト２０を複数のパーツで構成し、ショルダーストラップ３１に連結される背中１０３側の第２パーツ片２２を、カップ側の第１パーツ片２１よりも伸縮性の高い構成とした。このため、運動によるショルダーストラップ３１の変形や変位によるベルト２０やカップ部１１への影響を少なくすることができる。また、縦方向及び横方向において、第２パーツ片が第１パーツ片よりも伸縮性が高いことから、第２パーツ片２２が身体の動きに追従する追随性を適える一方で、第１パーツ片２１において脇部の安定性を確保できる。したがって、着用者１００の動きに追従して変形する運動追従性と、ベルト２０やカップ部１１の位置の安定性を両立することが可能となる。
【００３８】
また、ブラジャー１は、第１パーツ片２１と第２パーツ片２２の連結ラインＳ１、すなわちパーツが切替えられる境界ラインを、ベルト２０の下縁２０ａ前方部位から、ショルダー連結部２０ｃに向けて後ろ上がりに傾斜させている。したがって、カップ部１１を吊り上げながらも、カップ部１１の位置の安定性が高い。
【００３９】
また、第２パーツ片２２は三角形状であって、第２パーツ片２２の第２下辺２２ａは第１パーツ片２１の第１下辺２１ｃよりも大きく、望ましくはベルト２０の下縁２０ａの全長の２／３以上を占める。このため、ショルダーストラップ３１によって引き上げられる力が広く分散され、腕の動きに対するベルトのずり上がりを低減できる。
【００４０】
また第２パーツ片は第１パーツ片の第１上辺よりも上方へ突出した突出部を有する。
【００４１】
加えて、第２パーツ片の突出辺の端縁はテープなどが縫着されないヘム仕様である。したがって、第１パーツ片２１の上辺及び第２パーツ片２２の突出部２０ｅの上側の、それぞれの辺にテープ加工や縫製加工等を無くすことで、連結ラインＳ１部位を薄く仕上げることができ、着用性を向上できる。さらに、これらの部位が縫着されていないフリーな状態となるため、ショルダーストラップ３１による引っ張り力が掛らない。すなわち、一般的に、ベルト２０の上辺にテープ加工を有していると、ストラップを引っ張る力が生じた際にテープを通じてベルト２０全体に力が及び、ベルト２０部のずり上がりの原因となるが、これを防止できる。
【００４２】
また、ショルダーストラップ３１を連結ラインＳ１に沿って配したことにより、例えばストラップの方向が垂直に連結される場合と比べて第２側辺２２ｃへの引っ張り力の作用が少ない。したがって、通常背骨の上に位置するために安定しづらいバック連結部２０ｂに掛る力が少なくなり、背部におけるベルト２０のずり上がりを軽減することができる。
【００４３】
また、ストラップが連結ラインＳ１の延長線上に向かう取付け角度としたことにより、ストラップによる引き上げ力は内側、すなわち首側に働く。したがって、ストラップの肩からのずり下がりを予防することができ、ストラップの安定性を向上できる。したがって、カップ位置の安定性も向上する。
【００４４】
連結ラインＳ１、すなわち境界ラインの、角度を１５度以上６０度以下としたことにより、高い安定性が得られる。すなわち、１５度未満であると第１パーツ片２１の高さが低くなることから脇及び背部を十分安定させることが難しく、第２パーツ片２２辺の面積も小さくなるため身体の動きに追従できなくなる。一方で６０度より大きいと、ストラップの取付け位置が身体の外側に移動するため、ストラップがずり落ち易い。これらの理由から角度を１５度以上６０度以下としたことにより、より安定性が高い構成となる。
【００４５】
図５に、本実施形態に係るブラジャー１と、比較例に係るブラジャー５０の、運動前後の位置変化を比較する。図５は、複数人のモニター１〜４がブラジャー１及びブラジャー５０を着用した際の運動前後の位置変化をそれぞれ示している。運動としては腕の上げ下げを１０回、上半身の左右ひねりを１０回行う。この運動の前後において、ベルトの下縁における、ブラジャー連結具２３ａ，２３ｂの直下の第１位置Ｐ１と、ショルダー連結具２５の直下の第２位置Ｐ２の２箇所の、運動前後の床からの垂直距離を計測し、その差寸を算出した。
【００４６】
比較例にかかるブラジャー５０は、ベルトの全領域を１枚の生地で構成し、その上辺をテープ仕様としたブラジャーであり、ベルトは上下方向よりも左右方向に伸縮しやすい材質で構成した。また、ブラジャー５０において、ベルトの上縁の所定位置に、ショルダーストラップが垂直に連結される構成とした。
【００４７】
図５によれば、本実施形態に係るブラジャー１は比較例にかかるブラジャー５０に比べ、全てのモニターにおいて、床からの垂直距離の変動が少なく、背部のずり上がりが発生しにくいといえる。なお、異なるサイズを含む全てのモニターで同様の結果が得られた。したがって、各種のサイズで有効であると考えられる。
【００４８】
なお、本発明は上記各実施形態そのままに限定されるものではなく、実施段階ではその要旨を逸脱しない範囲で構成要素を変形して具体化できる。
【００４９】
例えば上記実施形態においては伸び特性の異なる２つのパーツを接合する例を説明したが、これに限られるものではなく縫合や突合せにより接続されていてもよい。また、例えば第１パーツ片２１と第２パーツ片２２に加え別のパーツをさらに備えてもよいし、第１パーツ片２１と第２パーツ片２２とは別のパーツを介して接続されていてもよい。この場合にも上記実施形態と同様の効果を奏することができる。
【００５０】
例えば上記実施形態ではブラジャー１に適用した例を示したが、これに限られるものではなく他の形態のブラジャーはもちろん、スリップ、タンクトップ、シャツ、ワンピースなどバストに着用する種々の衣類に用いることができる。上記実施形態においてブラジャー１はクッション材と一体化したタイプを例示したが、これに限られるものではなく、別体のパッドを収納可能なポケットを有する構造としてもよい。また、カットソーのカップのみならず成型によるモールド加工に対しても適用可能である。また、カップ下縁部には金属ワイヤーやそれに代わる保形部材が配されてもよく、ノンワイヤーとしてもよい。
【００５１】
この他、上記実施形態に例示された各構成要素を削除してもよく、各構成要素の形状、構造、材質等を変更してもよい。上記実施形態に開示されている複数の構成要素の適宜な組み合わせにより、種々の発明を形成できる。
以下に、本願出願の当初の特許請求の範囲に記載された発明を付記する。
（１）
着用者の胸部に配される第１サポート部と、
前記第１サポート部の両側部にそれぞれ接続され前記着用者の体の側部から背中に至る第２サポート部と、
前記第１サポート部の上部に接続され前記着用者の肩上から背中に回り前記第２サポート部に接続される第３サポート部と、を備え、
前記第２サポート部は、前記第１サポート部の側部に接続される第１パーツ片と、前記第１パーツ片よりも伸縮性が高く、前記第１パーツ片の前記第１サポート部とは反対側に連結されるとともに前記第３サポート部に連結される第２パーツ片と、を備えることを特徴とするバスト用衣類。
（２）
着用者の胸部に配される第１サポート部と、
前記第１サポート部に接続され前記着用者の体の側部から背中に至る第２サポート部と、
前記第１サポート部に接続され前記着用者の肩を通って背中位置で第２サポート部に接続される第３サポート部と、を備え、
前記第２サポート部は、着用状態で背中側に上がる連結ラインにおいて互いに連結され、複数のパーツを備え、前記第１サポート部側の前記パーツよりも、前記第１サポート部から遠く前記第３サポート部に連結される前記パーツが、伸縮性が高い、ことを特徴とするバスト用衣類。
（３）
前記第１サポート部は、一対のカップ部を備え、
前記第２サポート部は前記一対のカップ部の外側端に連続する一対のベルトを備え、  前記第３サポート部は、その一端が一対の前記カップ部の上端部に連結され、その他端が一対の前記ベルトの上縁の所定位置に連結された、一対のショルダーストラップを備え、
前記第１パーツ片と前記第２パーツ片は、前記ベルトの下縁におけるバストセンター寄りの所定位置から、バックセンターに向けて上方に変位するように傾斜する連結ラインにおいて接合され、
前記第２パーツ片は、前記連結ラインの終点位置よりも上方に突出し、前記終点位置よりも上位の所定位置において前記第３サポート部に連結される、（１）記載のバスト用衣類。
（４）
所定の第１方向と、前記第１方向に直交する第２方向と、の両方向において、前記第２パーツ片は前記第１パーツ片よりも伸縮性が高い、ことを特徴とする（１）記載のバスト用衣類。
（５）
前記連結ラインは、着用状態において前記着用者の側方から見て後ろ上がりに傾斜し、背面側から見ると前記着用者の側部からバックセンターに向かって上方に斜めに延び、一対の前記ショルダーストラップは、着用状態の背面側から見て、前記ベルトと連結される連結部から、センター及び上方に向けて斜めに延びることを特徴とする（３）記載のバスト用衣類。
（６）
前記第１パーツ片の外形は、第１サポート部の側縁に接続される第１内側辺と、前記ベルトの上縁の前記第１サポート部側の一部を構成する第１上辺と、前記ベルトの下縁の前記第１サポート部側の一部を構成する第１下辺と、前記連結ラインに沿う第１傾斜辺と、で囲まれる形状であって、
前記第２パーツ片の外形は、前記第１下辺に連続して前記ベルトの下縁を構成する第２下辺と、前記連結ラインに沿うとともにその上端に前記第３サポート部が連結される第２傾斜辺と、前記第２傾斜辺の連結部から着用者のバックセンターに延びる第２側辺と、で囲まれる三角形状に構成され、
前記第１パーツ片と前記第２パーツ片とは前記連結ラインにおいて接合され、
前記第２傾斜辺の中途位置に、前記第１上辺が交差し、前記第２パーツ片は前記第１上辺の延長線よりも上に前記連結部を頂点とする三角形状の突出部を有する、ことを特徴とする（３）記載のバスト用衣類。
（７）
前記連結ラインは、前記第２サポート部の下縁に対して１５度以上６０度以下の角度を有し、
前記第２パーツ片の前記第２傾斜辺は少なくとも前記突出部においてテープ加工及び縫製加工がされていないことを特徴とする（６）に記載のバスト用衣類。
【符号の説明】
【００５２】
１…ブラジャー、１０Ａ…第１サポート部、１０ａ…センター部、１１…カップ部、１２…ベース、２０Ａ…第２サポート部、２０…ベルト、２０ａ…下縁、２０ｂ…バック連結部、２０ｃ…ショルダー連結部、２０ｄ…交差部、２０ｅ…突出部、２１…第１パーツ片、２１ａ…第１内側辺、２１ｄ…第１傾斜辺、２２…第２パーツ片、２５…ショルダー連結具、３０Ａ…第３サポート部、３１…ショルダーストラップ、３２…調整機構、１００…着用者、１０１…胸部、１０２…側部、１０３…背中、１０３ａ…バックセンター、１０４…肩部、Ｓ１…連結ライン。
【図１】
0006298841.tif 000002
【図２】
0006298841.tif 000003
【図３】
0006298841.tif 000004
【図４】
0006298841.tif 000005
【図５】
0006298841.tif 000006